(57)【特許請求の範囲】
【請求項１】
貯蔵物を収納する貯蔵室と、前記貯蔵室に流入する冷気を生成する冷却器と、該冷気を前記貯蔵室に導くとともに前記貯蔵室と隔壁を介して設けられる冷気通路と、前記隔壁の少なくとも一部を形成して前記冷却通路内を流通する冷気による冷熱を前記貯蔵室内に放出する冷熱放出部材とを備え、
前記冷気通路を前記貯蔵室の背壁に配し、
前記貯蔵室内に隔離室が設けられ、
前記隔壁の一部は断熱部材で形成されており、
前記断熱部材は、前記冷却器と前記冷熱放出部材との間に配置されるとともに、前記隔離室の背面に設けられ、
前記冷熱放出部材は熱伝導性を有する金属からなり、横方向に前記貯蔵室のコーナー部付近まで前記貯蔵室の背壁を覆うように設け、
前記冷気通路を流通する冷気を前記貯蔵室内に吐出する吐出部を前記冷熱放出部材の外側の周辺に設け、
前記貯蔵室には上下方向に複数個の棚を設け、
前記吐出部は前記棚と棚の間となる位置に設け、
前記吐出部から前記貯蔵室の背壁の残りの一部に沿って冷気が吐出されることを特徴とする冷蔵庫。
【請求項２】
吐出された前記冷気は前記貯蔵室の側壁に沿って進行することを特徴とする請求項１に記載の冷蔵庫。
【請求項３】
前記冷熱放出部材は冷熱を蓄積する蓄冷部材から成ることを特徴とする請求項１または請求項２に記載の冷蔵庫。
【請求項４】
前記冷熱放出部材の周部に、前記吐出口から吐出される冷気を案内する切り起し部を設けたことを特徴とする請求項１〜請求項３のいずれかに記載の冷蔵庫。
【請求項５】
前記背壁は、前記貯蔵室の側壁に連続する斜面または曲面を有することを特徴とする請求項１〜請求項４のいずれかに記載の冷蔵庫。
【請求項６】
前記冷熱放出部材の周縁に屈曲部を形成していることを特徴とする請求項１〜請求項５のいずれかに記載の冷蔵庫。
【請求項７】
前記貯蔵室の背壁または側壁から突出し、横方向に延びて形成される通路ガードを設けたことを特徴とする請求項１〜請求項６のいずれかに記載の冷蔵庫。
【請求項８】
前記棚を前記通路ガードに設置できるようにしたことを特徴とする請求項７に記載の冷蔵庫。
【請求項９】
前記棚は周部の少なくとも一部から上下に突出する通路ガードを有することを特徴とする請求項１〜請求項６のいずれかに記載の冷蔵庫。
【発明の詳細な説明】
【０００１】
【発明の属する技術分野】
本発明は、冷気を貯蔵室内に送出して貯蔵室を冷却する冷蔵庫に関する。
【０００２】
【従来の技術】
従来の冷蔵庫は図１１の縦断面図に示すように、天板１０１、側板１０２、１０３及び底板１０４に覆われて外壁が形成されている。外壁の内側には樹脂成形品から成る上面パネル１１１及び側面パネル１１２、１１３によってダクトパネル１１０が構成され、貯蔵室１２０が形成されている。側板１０２と側面パネル１１２との間には冷熱を蓄積する蓄冷部材が充填された蓄冷壁１１６が配され、支持部材１１４により支持されている。
【０００３】
側板１０３と側面パネル１１３との隙間、天板１０１と上面パネル１１１との隙間、側板１０２と蓄冷壁１１６との隙間及び、蓄冷壁１１６と側面パネル１１２との隙間は冷気が流通する冷気通路１１７、１１８になっている。天板１０１の上面には冷凍機１０５が配され、上面パネル１１１に設けられた隔壁１１５により冷気の排気及び吸気を行う排気口１０１ａ及び吸気口１０１ｂが形成されている。冷気通路１１７を通る冷気は流入口１２０ａから貯蔵室１２０に流入する。貯蔵室１２０内の冷気は流出口１２０ｂから冷気通路１１８に流出するようになっている。
【０００４】
上記構成の冷蔵庫において、冷凍機１０５が駆動されると、排気口１０１ａから冷気通路１１７に冷気が送出される。冷気通路１１７ａ、１１７ｂを進行する冷気は蓄冷壁１１６に接触し、蓄冷壁１１６内の蓄冷部材により蓄冷される。そして、流入口１２０ａから貯蔵室１２０内に冷気が流入して貯蔵室１２０内を冷却する。その後、冷気は流出口１２０ｂから冷気通路１１８を通り、吸気口１０１ｂを介して冷凍機１０５に帰還する。
【０００５】
蓄冷部材により蓄冷される冷熱は、放熱及び吸熱を行って冷気の温度変動を吸収する。これにより、貯蔵室１２０内の温度を均一に保持する。また、冷凍機１０５の停止中に冷熱を放出して貯蔵室１２０内の保冷を行うようになっている。
【０００６】
【発明が解決しようとする課題】
しかしながら、上記の従来の冷蔵庫によると、貯蔵室１２０は所定位置に設けられた流入口１２０ａから流入する冷気によって冷却される。このため、矢印Ｂのように、流入口１２０ａから流出口１２０ｂに至る空気流の近傍で温度が低くなる。例えば流入口１２０ａから流入する冷気の流速が緩やかな場合には、Ａ部のように該空気流から離れた貯蔵室１２０の上部隅部では温度が高くなる。従って、貯蔵室１２０内の温度が不均一になる問題があった。
【０００７】
本発明は、貯蔵室内の温度の均一化を図ることのできる冷蔵庫を提供することを目的とする。
【０００８】
【課題を解決するための手段】
上記目的を達成するために本発明の冷蔵庫は、貯蔵物を収納する貯蔵室と、前記貯蔵室に流入する冷気を生成する冷却器と、該冷気を前記貯蔵室に導くとともに前記貯蔵室と隔壁を介して設けられる冷気通路と、前記隔壁の少なくとも一部を形成して前記冷却通路内を流通する冷気による冷熱を前記貯蔵室内に放出する冷熱放出部材とを備え、前記冷気通路を前記貯蔵室の背壁に配し、前記貯蔵室内に隔離室が設けられ、前記隔壁の一部は断熱部材で形成されており、前記断熱部材は、前記冷却器と前記冷熱放出部材との間に配置されるとともに、前記隔離室の背面に設けられ、前記冷熱放出部材は熱伝導性を有する金属からなり、横方向に前記貯蔵室のコーナー部付近まで前記貯蔵室の背壁を覆うように設け、前記冷気通路を流通する冷気を前記貯蔵室内に吐出する吐出部を前記冷熱放出部材の外側の周辺に設け、前記貯蔵室には上下方向に複数個の棚を設け、前記吐出部は前記棚と棚の間となる位置に設け、前記吐出部から前記貯蔵室の背壁の残りの一部に沿って冷気が吐出されることを特徴としている。また吐出された前記冷気は前記貯蔵室の側壁に沿って進行することを特徴としている。
【０００９】
この構成によると、冷却器により生成される冷気は冷気通路を通り、冷熱放出部材の周部または外側周辺に設けられる吐出部から貯蔵室に流入する。冷熱放出部材は冷気通路を通る冷気と接触し、該冷気による冷熱の一部が冷熱放出部材を介して貯蔵室内に放出される。貯蔵室は吐出部から流入する冷気と冷熱放出部材の全面から一様に放出される冷熱とによって庫内が均一に冷却される。
【００１０】
また本発明は、上記構成の冷蔵庫において、前記冷熱放出部材は冷熱を蓄積する蓄冷部材から成ることを特徴としている。この構成によると、冷気通路内を通る冷気により蓄冷部材は蓄冷し、蓄積した冷熱を貯蔵室内に放出する。
【００１２】
また本発明は、上記構成の冷蔵庫において、前記冷熱放出部材の周部に、前記吐出口から吐出される冷気を案内する切り起し部を設けたことを特徴としている。
【００１３】
また本発明は、上記構成の冷蔵庫において、前記背壁は、前記貯蔵室の側壁に連続する斜面または曲面を有することを特徴としている。この構成によると、吐出部から吐出される冷気は斜面または曲面に沿って進行し、貯蔵室の側壁に沿って前方へ進行する。また、前記冷熱放出部材の周縁に屈曲部を形成していることを特徴とする。
【００１４】
また本発明は、上記構成の冷蔵庫において、前記貯蔵室の背壁または側壁から突出し、横方向に延びて形成される通路ガードを設けたことを特徴としている。この構成によると、貯蔵室の端部に収納される貯蔵物は通路ガードに当接し、貯蔵物と背壁または側壁との間を冷気が進行する。
【００１５】
また本発明は、上記構成の冷蔵庫において、前記棚を前記通路ガードに設置できるようにしたことを特徴としている。
【００１６】
また本発明は、上記構成の冷蔵庫において、前記棚は周部の少なくとも一部から上下に突出する通路ガードを有することを特徴としている。この構成によると、棚の周部に収納される貯蔵物は通路ガードに当接し、貯蔵物と貯蔵室の壁面との間を冷気が進行する。
【００１７】
【発明の実施の形態】
以下に本発明の実施形態を図面を参照して説明する。図１は第１実施形態の冷蔵庫を示す側面断面図である。冷蔵庫１は外部を覆う外箱２ａの内側に内箱２ｂが配され、外箱２ａと内箱２ｂとの隙間には発泡ポリウレタン等の断熱材２ｃが充填されている。冷蔵庫１の内部は上から冷蔵室１１、野菜室１２、冷凍室１３の順に区分けされている。
【００１８】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００１９】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面がスライド式の断熱扉４、５、６により夫々開閉可能になっており、収納容器５４、５５、５６を引出せるようになっている。
【００２０】
冷凍室１３の後部には圧縮機２０が配されている。圧縮機２０には吐出パイプ２０ａを介して凝縮器（不図示）が連結されており、吸込パイプ２０ｂを介して冷却器２１が連結されている。凝縮器と冷却器２１はキャピラリーチューブ（不図示）を介して連結されている。
【００２１】
これにより冷凍サイクルが構成され、冷凍サイクル運転が行われると冷却器２１が冷却されるようになっている。冷却器２１の下方には冷却器２１の除霜を行う除霜ヒータ６２が設けられている。６４はドレン受け部材である。
【００２２】
冷却器２１は冷気通路２３内に配されており、冷気通路２３の下部は内箱２ｂと樹脂成形品から成るエバカバー３３とにより形成されている。冷気通路２３内の冷却器２１の上方には送風機２２が配されている。冷気通路２３は背面板３３ａに設けられた流入口１３ａ、１３ｃ及び流出口カバー３３ｂに設けられた流出口１３ｂにより冷凍室１３と連通している。
【００２３】
野菜室１２の背面は前述の仕切板１９に覆われており、冷気通路２３の上部の圧力室２３ａはエバカバー３３と仕切板１９とにより形成されている。断熱部材から成る仕切板１９により、冷却器２１に近設される野菜室１２の過冷却を防止している。
【００２４】
冷気通路２３は送風機２２の上方に配される冷気通路２８とダンパー６５を介して連通している。冷気通路２８の下部は氷温室１４の背面板３５に固着される断熱部材３６と内箱２ｂとにより形成されている。
【００２５】
断熱部材３６には開口部３６ａ、３６ｂが設けられている。冷蔵室１１の正面図を図２に示すと、背面板３５には開口部３６ａ、３６ｂと同じ位置に開口部３５ａ、３５ｂが設けられている。開口部３５ａ、３５ｂ、３６ａ、３６ｂにより氷温室１４は冷気通路２８と連通している。
【００２６】
図３に冷蔵室１１の上面断面図を示すと、冷気通路２８には内箱２ｂに取り付けられる案内板８１が設けられている。案内板８１には冷気通路２８を分割する突部８１ａが形成されている。これにより、前述の図２に示すように、上昇する冷気が通る上昇通路２８ａと下降する冷気が通る下降通路２８ｂとが形成される。
【００２７】
上昇通路２８ａ及び下降通路２８ｂの前面は冷蔵室１１の内壁を形成する冷熱放出部材４２に覆われている。冷熱放出部材４２は熱伝導性を有する熱伝導部材（例えば、加工性が良く防錆効果の高いアルミニウム合金やステンレス等）から形成されている。
【００２８】
これにより蓄冷及び冷熱の放出を可能にしている。なお、前記熱伝導部材の厚みが厚い場合は蓄冷能力が上がり、強度も増加する。厚みが薄い場合は冷熱の放出効率が上がり、軽量化にも有利である。そのため、目的に応じて薄板材や厚板材を適時適所に選び設ければよい。
【００２９】
また、上昇通路２８ａは突部８１ｂにより分岐され、その間の案内板８１には冷蔵室１内を照らす照明灯５１が設けられている。照明灯５１は透明の照明カバー５３により覆われている。
【００３０】
下降通路２８ｂの側壁は、案内板８１の突部８１ｃにより形成されている。突部８１ｃには複数の開口部８１ｄが形成されている。内箱２ｂは開口部８１ｄに対応する位置に凹部２ｇが形成されている。凹部２ｇは開口部８１ｄと連通しており、冷熱放出部材４２の外周部から冷気を吐出する吐出部を形成している。また、突部８１ａ、８１ｃには、冷気を開口部８１ｄに導く風向部８１ｆが開口部８１ｄに対応する位置に形成されている。
【００３１】
冷蔵室１１の天井部分の冷気通路２８は上昇通路２８ａと連通し、樹脂成形品から成る上面板４３と内箱２ｂにより形成されている。上面板４３には開口部（不図示）が設けられている。尚、８５は冷蔵室１１内の温度を検知する温度検知部であり、８４は温度検知部８５に直接冷気が当らないように内箱２ｂに形成される防護壁である。
【００３２】
上記構成の冷蔵庫１において、送風機２２が駆動されると、冷凍室１３内の空気は流出口１３ｂから冷気通路２３に導かれる。該空気は冷却器２１と熱交換して冷却され、流入口１３ａから冷凍室１３に流入する。これにより冷凍室１３内が冷却される。
【００３３】
また、冷却器２１と熱交換した冷気はダンパー６５を介して冷却通路２８内を流通し、一部が開口部３５ａ、３６ａから氷温室１４に流入する。他の冷気は２つの上昇通路２８ａに分岐して上昇する。そして、下降通路２８ｂを下降しながら風向部８１ｆに導かれ、開口部８１ｄから凹部２ｇ（吐出部）を通って冷蔵室１１に流入する。その後、開口部３５ｂ、３６ｂから氷温室１４に流入する。これにより、氷温室１４内が冷却される。
【００３４】
内箱２ｂには斜面２ｄ及び曲面２ｅが形成されており、開口部８１ｄから斜面２ｄに沿って流れる冷気は、凹部２ｇ（吐出部）から冷蔵室１１内に吐出される。そして、斜面２ｄ、曲面２ｅ及び側壁２ｆに沿って進行し、棚４５の前部を通って下方に流下する。斜面２ｄ及び曲面２ｅを設けることにより乱流の発生を防止して冷気が前方にスムーズに進行するようになっている。
【００３５】
その後、氷温室１４の下方から開口部３２ａを介して冷気通路３０を流通し、野菜室１２内の前方に流入する。更に収納容器５４の前面から下方を通り、野菜室１２内が冷却される。そして、流出口（不図示）から冷却器２１の下部に導かれて冷気が循環する。温度検知部８５の検知結果に基づいて圧縮機２０及び送風機２６が運転及び停止され、冷蔵室１１及び野菜室１２の温度を例えば３℃に維持し、氷温室１４を例えば−１℃に維持するようになっている。
【００３６】
また、冷却器２１での冷却を停止して送風機２２を運転すると、冷熱放出部材４２に蓄積された冷熱により冷却通路２８を通る冷気が冷却される。そして、該冷気によって冷蔵室１１内の冷却が行われる。
【００３７】
図４に示すように、側壁２ｆには突出した通路ガード８２、８３が設けられている。通路ガード８２、８３は前後方向に延びて形成され、貯蔵物Ｗ１が当接することにより、側壁２ｆに沿って前方へ進行する冷気が遮られないようになっている。ここで、通路ガード８２は、棚４５を支持することができるように形成されている。
【００３８】
また、棚４５の上面及び下面の周縁には上下に突出した通路ガード４５ａ、４５ｂが形成されている。そして、貯蔵物Ｗ２、Ｗ３が通路ガード４２ａ、４２ｂに当接することにより、側壁２ｆに沿って前方へ進行する冷気が遮られないようになっている。従って、冷気は通路ガード８２、８３の間や、通路ガード４２ａ、４２ｂと内箱２ｂとの間を前方に進行する。尚、通路ガード４５ａ、４５ｂにより棚４５の補強も行うことができる。
【００３９】
本実施形態によると、冷熱放出部材４２の外側周辺に設けられる吐出部（２ｇ）により冷気が冷蔵室１１に流入する。また、冷熱放出部材４２は冷気通路２８を通る冷気の冷熱の一部を熱伝導させて冷蔵室１１内に放出する熱伝導板として機能している。従って、冷蔵室１１は分散して吐出される冷気と、広い面積から一様に放出される冷熱により均一に冷却される。
【００４０】
また、冷熱放出部材４２を図５に示すようなゼリー状や液状の保冷材４２ｃを包装材４２ｆ、４２ｇにより封入した蓄冷部材にしてもよい。このようにすると、冷熱放出部材４２は冷気通路２８内を流通する冷気の冷熱でより蓄冷され、冷蔵室１１内の温度分布に応じて冷熱として放出する。従って、冷蔵室１１が均一に冷却されるようになる。
【００４１】
更に、蓄冷部材により圧縮機２０の停止中や冷気通路２８内の冷気温度の変動に対して吸熱や放熱を行い、冷気通路２８内の冷気温度を維持することができるようになる。この時、蓄冷部材が冷蔵室１１の内壁を形成しているので冷蔵室１１のスペースを広くすることができ、冷蔵庫１の省スペース化を図ることができる。包装材４２ｆ、４２ｇを熱伝導性を有するアルミニウム合金やステンレスにするとより望ましい。
【００４２】
前述の図２に示すように、開口部８１ｄを通過する冷気の通路は冷熱放出部材４２の周縁及び斜面２ｄにより吐出部（２ｇ）に向けて断面積が徐々に狭くなっている。これにより、冷気の風速が増大し、冷気の到達距離が大きくなるようにしている。冷気の吹出しによる騒音が問題となる場合は図６に示すように、冷熱放出部材４２の周縁を斜面２ｄに沿うように屈曲させた屈曲部４２ｈを形成してもよい。
【００４３】
更に、図７、図８の上面図及び正面図に示すように冷熱放出部材４２に複数の切り起し部４２ｊを設けてもよい。このようにすると、切り起し部４２ｊにより所望の方向に冷気を案内させることができる。
【００４４】
また、冷熱放出部材４２は冷蔵室１１の背面に立設されて上下方向に延在している。このため、冷熱放出部材４２に結露して水滴が生じても貯蔵物上に直接滴下することがない。従って、貯蔵物を傷めず、良好な保存状態を維持できる。さらに、前記冷熱放出部材４２の前方に空気流通可能な多孔性（例えば、小判穴、丸穴等）のフェンス状の防護壁を設けると、冷熱放出部材４２をさらに薄くできるので、冷熱の放出効果が向上し、キズ付防止や破損防止にもなる。
【００４５】
次に、図９、図１０は第２実施形態の冷蔵庫を示す正面図及び上面断面図である。説明の便宜上図１〜図４の第１実施形態と同一の部分には同一の符号を付している。第１実施形態と異なる点は、下降通路２８ｂの側壁を成す突部８１ｃには開口部８１ｄ（図３参照）を設けず、複数の開口部４２ｋ（吐出部）を冷熱放出部材４２の周部に設けている点である。また、内箱２ｂには凹部２ｇ（図３参照）を設けていない。
【００４６】
上記構成の冷蔵庫１において、第１実施形態と同様に、送風機２２（図１参照）が駆動されると、冷凍室１３内の空気は流出口１３ｂから冷気通路２３に導かれる。該空気は冷却器２１と熱交換して冷却され、流入口１３ａ、１３ｃから冷凍室１３に流入する。これにより冷凍室１３内が冷却される。
【００４７】
また、冷却器２１と熱交換した冷気はダンパー６５を介して冷却通路２８内を流通し、一部が開口部３５ａ、３６ａから氷温室１４に流入する。他の冷気は２つの上昇通路２８ａに分岐して上昇する。そして、下降通路２８ｂを下降しながら風向部８１ｆに導かれ、開口部４２ｋから冷蔵室１１に流入する。その後、開口部３５ｂ、３６ｂから氷温室１４に流入する。
【００４８】
従って、第１実施形態と同様に、冷熱放出部材４２に設けられる複数の吐出部（４２ｋ）により冷気が冷蔵室１１に流入する。また、冷熱放出部材４２は冷気通路２８を通る冷気の冷熱の一部を熱伝導させて冷蔵室１１内に放出する熱伝導板として機能している。従って、冷蔵室１１は分散して吐出される冷気と、広い面積から一様に放出される冷熱により均一に冷却される。尚、冷熱放出部材４２を上記と同様に図５に示すような蓄冷部材にしてもよい。
【００４９】
第１、第２実施形態において、冷却器２１は冷蔵室１１、氷温室１４、野菜室１２及び冷凍室１３の各貯蔵室の冷却用として共用している。複数の冷却器を設けて、例えば冷蔵室１１、氷温室１４及び野菜室１２を一の冷却器により冷却し、冷凍室１３を他の冷却器により冷却しても上記と同様の効果を得ることができる。
【００５０】
また、本発明において、冷気通路を通る冷気による冷熱の一部が冷熱放出部材を介して貯蔵室内に放出されるとは、冷気通路を通る冷気の一部が冷熱放出部材から吸熱して該冷熱放出部材を冷却し、前記冷熱放出部材が貯蔵室内から吸熱して貯蔵室内を冷却することを意味する。
【００５１】
【発明の効果】
本発明によると、冷熱放出部材の周部または外側周辺に設けられる吐出部により冷気が貯蔵室内に分散して吐出される。また、熱伝導部材や蓄冷部材等から成る冷熱放出部材は、冷気通路を通る冷気の冷熱を貯蔵室内に広い面積から一様に放出する。従って、分散して吐出される冷気と、一様に放出される冷熱により貯蔵室を均一に冷却することができる。
【００５２】
また本発明によると、貯蔵室の背壁に沿って冷気が吐出されて貯蔵室の側壁に沿って進行するので、貯蔵室内前方まで冷気が行渡り、均一な冷却が可能となる。また、背壁が斜面または曲面を有するので乱流が生じることなくスムーズに冷気を進行させることができる。
【００５３】
また本発明によると、貯蔵室の側壁や貯蔵物を載置する棚に通路ガードを設けることにより、前方に進行する冷気が貯蔵物によって遮られることがなく、冷気を貯蔵室内にスムーズに行渡らせることができる。
【図面の簡単な説明】
【図１】    本発明の第１実施形態の冷蔵庫を示す側面断面図である。
【図２】    本発明の第１実施形態の冷蔵庫の冷蔵室を示す正面図である。
【図３】    本発明の第１実施形態の冷蔵庫を示す上面断面図である。
【図４】    本発明の第１実施形態の冷蔵庫を示す要部詳細図である。
【図５】    本発明の第１実施形態の冷蔵庫の他の冷熱放出部材を示す斜視図である。
【図６】    本発明の第１実施形態の冷蔵庫を示す要部上面図である。
【図７】    本発明の第１実施形態の冷蔵庫を示す要部上面図である。
【図８】    本発明の第１実施形態の冷蔵庫を示す要部正面図である。
【図９】    本発明の第２実施形態の冷蔵庫の冷蔵室を示す正面図である。
【図１０】  本発明の第２実施形態の冷蔵庫を示す上面断面図である。
【図１１】  従来の冷蔵庫を示す側面断面図である。
【符号の説明】
１    冷蔵庫
２ａ  外箱
２ｂ  内箱
２ｇ  凹部（吐出部）
３、４、５、６  断熱扉
１１    冷蔵室
１２    野菜室
１３    冷凍室
１４    氷温室
２０    圧縮機
２１、２５  冷却器
２２、２６、２９  送風機
２３、２８、３０  冷気通路
２８ａ  上昇通路
２８ｂ  下降通路
３５    背面板
３６    断熱部材
４２    冷熱放出部材
４２ｋ  開口部（吐出部）
５１    照明灯
６１、６２  除霜用ヒータ
６５    ダンパー
８１    案内板
８２、８３  通路カバー
【図１】
0003644855.tif 000002
【図２】
0003644855.tif 000003
【図３】
0003644855.tif 000004
【図４】
0003644855.tif 000005
【図５】
0003644855.tif 000006
【図６】
0003644855.tif 000007
【図７】
0003644855.tif 000008
【図８】
0003644855.tif 000009
【図９】
0003644855.tif 000010
【図１０】
0003644855.tif 000011
【図１１】
0003644855.tif 000012